(57)【要約】  本発明は、設定調整可能な非線形の支援補助力を備えた電気機械式制動力倍力装置に関している。この装置はブレーキブースターピストン（１０）と、並進移動可能な設定調整手段（５０）と、前記ブレーキブースターピストン（１０）に可変の補助力をかけるべく、当該ブレーキブースターピストン（１０）に前記設定調整手段（５０）を連結させるための非線形連結伝動装置（４０）とを含んでいることを特徴とする。
2013544709.tif 000002
【特許請求の範囲】
【請求項１】
設定調整可能な非線形の支援補助力を備えた電気機械式制動力倍力装置において、
ブレーキブースターピストン（１０）と、
並進移動可能な設定調整手段（５０）と、
前記ブレーキブースターピストン（１０）に可変の補助力をかけるべく、当該ブレーキブースターピストン（１０）に前記設定調整手段（５０）を連結させるための非線形の連結伝動装置（４０）とを含んでいることを特徴とする、電気機械式制動力倍力装置。
【請求項２】
スレッドロッド（３０）と、
前記スレッドロッド（３０）を駆動する電気モーター（２０）とを含み、前記スレッドロッド（３０）は、当該スレッドロッドの駆動によって前記設定調整手段（５０）を前記スレッドロッドの長手軸に沿って移動させるために、前記設定調整手段（５０）に連結されている、請求項１記載の電気機械式制動力倍力装置。
【請求項３】
前記連結伝動装置（４０）は、少なくとも１つの第１のレバーアーム（４１）と少なくとも１つの第２のレバーアーム（４２）とを有している、請求項１または２記載の電気機械式制動力倍力装置。
【請求項４】
前記連結伝動装置（４０）の第１及び第２のレバーアーム（４１，４２）はそれぞれ、前記設定調整手段（５０）とブレーキブースターピストン（１０）の向かい側に対称的に配設されている、請求項３記載の電気機械式制動力倍力装置。
【請求項５】
前記連結伝動装置（４０）の第１のレバーアーム（４１）は前記設定調整手段（５０）とジョイント式に連結している、請求項３または４記載の電気機械式制動力倍力装置。
【請求項６】
前記連結伝動装置（４０）は、第３のレバーアーム（４３）を有しており、前記第２のレバーアーム（４２）は前記第３のレバーアーム（４３）と関節式に連結されており、前記第３のレバーアーム（４３）は車両と関節式に連結されている、請求項３から５いずれか１項記載の電気機械式制動力倍力装置。
【請求項７】
前記第２のレバーアーム（４２）は回転軸（６０）を用いて前記ブレーキブースターピストン（１０）とジョイント式に連結されており、前記第２のレバーアーム（４２）の、前記回転軸（６０）から前記第１のレバーアーム（４１）方向の長さは、前記第２のレバーアーム（４２）の、前記回転軸（６０）から前記第３のレバーアーム（４３）方向の長さよりも長い、請求項６記載の電気機械式制動力倍力装置。
【請求項８】
前記連結伝動装置（４０）は、補償調整レバーアーム（４４）を有し、前記第２のレバーアーム（４２）は前記補償調整レバーアーム（４４）を介して前記ブレーキブースターピストン（１０）と連結され、前記第２のレバーアーム（４２）の長手方向端部は車両とジョイント式に連結されている、請求項３から６いずれか１項記載の電気機械式制動力倍力装置。
【請求項９】
前記第２のレバーアーム（４２）の長さの、前記第１のレバーアーム（４１）の長さに対する比は、少なくとも２.５倍である、請求項３から８いずれか１項記載の電気機械式制動力倍力装置。
【発明の詳細な説明】
【技術分野】
【０００１】
本発明は、電気機械式制動力倍力装置、とりわけ電気モーターにより設定調整可能な非線形の支援補助力を備えた電気機械式制動力倍力装置に関している。
【背景技術】
【０００２】
制動力倍力装置とは、制動時のドライバーの負担を軽減するための支援装置のことであり、この装置はブレーキペダルの操作の際にマスターシリンダーに対する支援補助力を形成している。この支援補助力は、マスターシリンダーに対するブレーキペダル踏力のさらなる付加的助力となる。そのため、車両ブレーキペダルにおいて所望の制動作用を達成するのに必要となる操作力が軽減される。大抵の自家用車や軽運送車両に組み込まれている負圧式制動力倍力装置では、当該装置の支援補助力が、大気圧とエンジンブロックにおける負圧との間の圧力差を利用して形成されてきていた。
【０００３】
しかしながら最新のディーゼルエンジンやＦＳＩ直噴エンジンのもとでは、いずれにせよ負圧式制動力倍力装置の作動のために使用できるエンジンブロックにおける圧力差はもはや存在しない。そのためこの種の最新エンジンのもとでは、ここにきて付加的に組み込むことのできる電気式負圧ポンプ又は内燃機関駆動式の負圧ポンプが、制動力倍力装置の作動に必要な真空状態を提供する。しかしながらこの負圧ポンプには、付属の比較的大きな組み込みチャンバーに必要とされるホース配管と、それに伴う車両重量の不所望な増加に基づく欠点が伴ってしまう。
【０００４】
それに対して代替的ないわゆる電気機械式制動力倍力装置では、電気モーターが所定のトルクを形成し、このトルクが連結装置を用いて制動力倍力装置の支援補助力に変換される。
【０００５】
ＷＯ２００８／１２８８１１Ａ１明細書からは、次のような電気機械式制動力倍力装置が公知である。すなわち電気モーターが可変の伝達比で機械的な伝動装置を駆動し、この伝動装置がマスターシリンダーに対する支援補助力を提供している電気機械式制動力倍力装置である。ここでの欠点は、前記の機械的伝動装置において、マスターシリンダーに対する支援補助力の可変の伝達比のためにラックとピニオンギヤからなる少なくとも１つの組み合わせ機構が必要とされることである。なぜならこの組み合わせ機構は基本的に当該装置内の遊びの原因にもなっているからである。さらに前記機械的伝動装置は、相応に大きな組み込み空間を備えた軸受けを必要とし、また精密に製造された高価な部材の取付けにもコストがかかってしまう。
【０００６】
それ故に本発明の課題は、ブレーキシリンダーに対する支援補助力が、ブレーキペダルの位置に応じて可変に設定調整可能である、簡素化された機械式伝動装置を備えた電気機械式制動力倍力装置を提供することである。その他にも本発明による電気機械式制動力倍力装置では、装置内の遊びが低減されるべきであり、さらに当該電気機械式制動力倍力装置の製造と取付けに必要な構成部材も簡素化されるべきである。
【０００７】
発明の開示
前記課題は、請求項１の特徴部分に記載された本発明による電気機械式制動力倍力装置によって解決される。
【０００８】
本発明の別の有利な構成及び１実施例は従属請求項にも記載されている。
【０００９】
本発明による、設定調整可能な非線形の支援補助力を備えた電気機械式制動力倍力装置の第１実施例によれば、
ブレーキブースターピストンと、
並進移動可能な設定調整手段と、
前記ブレーキブースターピストンに可変の補助力をかけるべく、当該ブレーキブースターピストンに前記設定調整手段を連結させるための非線形連結伝動装置とを含んでいる。
【００１０】
さらに請求項１記載の制動力倍力装置は有利には、
スレッドロッドと、
前記スレッドロッドを駆動する電気モーターとを含み、前記スレッドロッドは、その駆動によって設定調整手段を当該スレッドロッドの長手軸に沿って移動させるために、前記設定調整手段に連結されている。
【００１１】
特に有利には、前記連結伝動装置は、少なくとも１つの第１のレバーアームと少なくとも１つの第２のレバーアームとを有している。
【００１２】
本発明による電気機械式制動力倍力装置では、可変の伝達比の実現のためのラックとピニオンギヤの組み合わせからなる機械的伝動装置の使用が省略できるようになる。なぜならここでは簡素化されたレバーアーム原理が適用されているからである。その結果として本発明による電気機械式制動力倍力装置では、複数の歯車を備えた装置に対する装置内の遊びが低減される。このことは、制御精度の向上とドライバーに対する快適性の向上をもたらす。
【００１３】
本発明による電気機械式制動力倍力装置では、連結伝動装置が作動中にスレッドロッド上の設定調整手段の位置に依存して、非線形の支援補助力をブレーキブースターピストンに伝達し、その際の支援補助力は、連結伝動装置のレバーアームの選択された長さに比例して増幅される。前記連結伝動装置とは一般的に、回転運動を直線運動若しくは揺動運動に変換する、ないしは直線運動若しくは揺動運動を回転運動に変換する、伝動装置のことである。その他に前記伝動装置は不均一に変速される伝動装置でもある。本発明による支援補助力は、レバーアーム効果によってスレッドロッド上の設定調整手段の位置に応じて非線形的な特性となる。このことは、電気機械式制動力倍力装置にとって利点につながる。なぜならブレーキペダルの踏力の増加と共にこの非線形特性も増加するからである。
【００１４】
本発明による電気機械式制動力倍力装置のさらなる利点は、連結伝動装置を用いた可変の伝達比実現のために必要な部材の僅かな数と簡単な構造形式にある。そのため本発明による連結伝動装置はもっとも簡単な構造形式によれば、このことに対して長さの異なる２つのレバーアームが必要となるだけである。これらのレバーアームはそれぞれ相互にジョイント式に並びに前記設定調整手段とブレーキブースターピストンにもジョイント式に連結している。これにより製造コストと取付けコストが大幅に低減する。コスト増の示唆が強いラックとピニオンギヤの組み合わせの取付け、並びに付属の軸受けの取付けは、本発明による電気機械式制動力倍力装置の場合には省略される。
【００１５】
さらに本発明による電気機械式制動力倍力装置のさらに別の実施例によれば、前記連結伝動装置のレバーアームがそれぞれ、前記設定調整手段とブレーキブースターピストンの向かい側に対称的に配設されている。連結伝動装置においてその連結部とレバーの数を倍にして前記設定調整手段とブレーキブースターピストンのそれぞれの側に配置するならば、ブレーキブースターピストンと設定調整手段のそれぞれの側に作用する応力が補償され、それによってこれらの部材に対する不所望なモーメントは解消される。
【００１６】
さらに有利には、前記連結伝動装置の第１のレバーアームは前記設定調整手段とジョイント式に連結されてもよい。有利にはこのジョイント式の連結部は特に回転に対する自由度を有する。ここでの連結は、前記連結伝動装置と設定調整手段との間の簡素で不所望な緊張のない直接的な連結を提供する。
【００１７】
本発明による電気機械式制動力倍力装置では前記設定調整手段が一体式の部材であってもよい。それにより当該設定調整手段はその最も簡素な構造形式、例えばナットのような雌ねじの形態や、スレッドロッドの雄ねじに適合する内ネジの切られたブッシュの形態で構成されていてもよいし、連結伝動装置の第１のレバーアームにジョイント式に連結するための手段を有するものであってもよい。それに対してはさらに代替的に前記設定調整手段が一体式の部材であってもよい。
【００１８】
さらに本発明による電気機械式制動力倍力装置では、スレッドロッドがブレーキブースターピストンの上方に配置されていてもよい。電気機械式制動力倍力装置の等価的代替手段によれば、前記スレッドロッドは、ブレーキブースターピストンの下方に配置されていてもよい。前記スレッドロッドと設定調整手段ないしブレーキブースターピストンの取付け位置は、この場合車輌メーカー側の希望に添って選択することが可能である。有利には、前記スレッドロッドの回転軸と前記ブレーキブースターピストンの対称軸は、垂直方向の共通の面に存在する。
【００１９】
さらに前記設定調整手段は、作動中にブレーキブースターピストンに対する支援補助力の増加と共にそこから離れるように動いていてもよい。その際には前記設定調整手段に対する基準点として、ブレーキペダルが操作されていない場合の初期位置が選択されてもよい。この設定調整手段の初期位置は電気モーターのすぐ近くにある。
【００２０】
本発明による電気機械式制動力倍力装置のさらなる別の有利な実施例によれば、前記連結伝動装置は、第３のレバーアームを有しており、前記第２のレバーアームは前記第３のレバーアームとジョイント式に連結されており、前記第３のレバーアームは車両とジョイント式に連結されている。それによりとりわけ第２のレバーアームの長手端部は第３のレバーアームとジョイント式に連結される。この第３のレバーアームは、設定調整手段が作動中にスレッドロッド上を往復運動すると同時に、連結伝動装置からの応力をブレーキブースターピストンに緊張なしで伝達するために設けられている。
【００２１】
本発明による電気機械式制動力倍力装置のさらに別の有利な実施例によれば、前記第２のレバーアームは回転軸を用いて前記ブレーキブースターピストンとジョイント式に連結されており、前記第２のレバーアームの、前記回転軸から前記第１のレバーアーム方向の長さは、前記第２のレバーアームの、前記回転軸から前記第３のレバーアーム方向の長さよりも長い。この装置構成のもとでは、連結伝動装置のレバーアームの長さの設計仕様によって、非線形の支援補助力の特性と、最大限可能な支援補助力の設定を行うことが可能になる。
【００２２】
本発明による電気機械式制動力倍力装置のさらに有利な構成によれば、前記連結伝動装置が補償調整レバーアームを有し、前記第２のレバーアームは前記補償調整レバーアームを介して前記ブレーキブースターピストンと連結され、前記第２のレバーアームの長手方向端部は車両とジョイント式に連結されている。この装置構成は、ブレーキブースターピストンと連結伝動装置との間の緊張のない結合のための代替的手段を表しており、ここでは作動中のブレーキブースターピストンの運動に対する垂直方向の補償調整が可能である。その際前記補償調整レバーアームの一方の長手方向端部がジョイント式にブレーキブースターピストンと連結され、それに対して別の長手方向端部は第２のレバーアームと、第２のレバーアームの長手方向に沿った所定の箇所においてジョイント式に連結される。
【００２３】
本発明による電気機械式制動力倍力装置の別の有利な構成によれば、前記設定調整手段が共通のコンタクト領域においてスレッドロッドを完全に取り囲んでいてもよい。これに対して前記設定調整手段はナットのような雌ねじ形態や、スレッドロッドの雄ねじに適合する内ネジの切られたブッシュの形態で構成されてもよい。
【００２４】
さらに本発明による電気機械式制動力倍力装置の別の有利な構成によれば、前記第２のレバーアームの長さの、前記第１のレバーアームの長さに対する比は、少なくとも２.５倍である。この２つのレバーアームの長さの比は、最大限可能な支援補助力の他に、作動中の設定調整手段の種々異なる位置に対する支援補助力の経過も定める。その際の非線形の経過特性は特に有利な結果として現れる。それに対して代替的に前記比が２.５よりは小さく、１.５よりも大きいならば（すなわち１.５〜２.５の間ならば）、この条件は、特に小出力のエンジンを備えた車両において十分に満たされる。なぜならそのような小型車のケースでは制動力倍力装置が制動に対して、相応に小さな支援補助力しか必要としないからである。
【００２５】
本発明による電気機械式制動力倍力装置のさらに別の有利な構成によれば、ブレーキペダルがさらに別の連結伝動装置を介してブレーキブースターピストンに連結されていてもよい。それにより、特にブレーキブースターピストンは別の連結伝動装置のレバーアームと堅固に連結され得る。さらにこのレバーアームは、ブレーキブースターピストンの対称軸に対して同軸に配置されていてもよい。さらに代替的にブレーキブースターピストンは別の連結伝動装置のレバーアームとジョイント式に連結されていてもよい。
【００２６】
本発明の有利な実施例は、以下の明細書で図面に基づいて詳細に説明する。
【図面の簡単な説明】
【００２７】
【図１】本発明による電気機械式制動力倍力装置の第１実施例の概略図
【図２】ブレーキブースターピストンと車両への連結伝動装置のレバーアームの連結が変更されている本発明による電気機械式制動力倍力装置の第２実施例の概略図
【図３】ブレーキペダル距離と制動力倍力装置の支援補助力Ｆとの間の所望の非線形の関係を示した図
【００２８】
実施例の説明
図１には本発明による電気機械式制動力倍力装置の概略図が示されている。なお以下の明細書では同じ構成部材には同じ参照符号が付される。
【００２９】
本発明による電気機械式制動力倍力装置は、ブレーキブースターピストン１０を含んでいる。このブレーキブースターピストン１０は、マスターシリンダー１００に対して、車両２００（図示せず）の制動力のための支援補助力を形成している。このブレーキブースターピストン１０の支援補助力は、設定調整手段５０を備えた電気モーター２０の共同作業のもとで形成されており、形成された支援補助力は連結伝動装置４０を介してブレーキブースターピストン１０に伝達されている。前記連結伝動装置４０は、前記設定調整手段５０と共同作業しており、その位置に応じて当該連結伝動装置４０の可変の伝達比を実現している。前記連結伝動装置４０は、簡素なレバーアーム方式に従って動作しており、ここでは連結伝動装置４０に対する設定調整手段５０の引張り応力が、当該連結伝動装置４０の可変のレバーアームの長さに比例して増幅される。
【００３０】
電気モーター２０は、ブレーキブースターピストン１０の上方に配置されており、ここではブレーキブースターピストン１０の対称軸と電気モーター２０の対称軸が共通の垂直平面内に存在している。電気モーター２０の被駆動軸は、スレッドロッド３０によって形成されており、このスレッドロッド３０は電気モーター２０から出発してブレーキブースターピストン１０の対称軸に対して実質的に平行に延在している。スレッドロッド３０上には設定調整手段５０が設けられており、この設定調整手段５０は、スレッドロッド３０の雄ねじに適合する内ネジの切られたブッシュの形態で構成されていてもよい。前記設定調整手段５０は、例えばその全長に亘って前記スレッドロッド３０の外周面、ないしは２つの部材間の共通のコンタクト領域を完全に取り囲んでいる。そのためこの設定調整手段５０は前記スレッドロッド３０に配置され、当該スレッドロッド３０の回転のもとで当該スレッドロッド３０に沿って移動する。
【００３１】
前記連結伝動装置４０は、第１のレバーアーム４１と、第２のレバーアーム４２と、第３のレバーアーム４３とを含んでいる。これらのアームはそれぞれ回転軸を介して相互にジョイント式に連結されている。この場合２つのレバーアームの連結のもとでそれぞれ１つの回転自由度のみが許容される。ここでは連結伝動装置４０のレバーアーム４１，４２，４３が実質的に垂直平面内に配置され、それらの運動が当該垂直平面上で経過する。連結伝動装置４０の第１のレバーアーム４１は、設定調整手段５０とジョイント式に連結される。第２のレバーアーム４２は、回転軸６０を介してブレーキブースターピストン１０とジョイント式に連結される。その際回転軸６０はブレーキブースターピストン１０の外周面の領域において当該対称軸を通る水平平面内で配設されている。第３のレバーアーム４３（これはブレーキブースターピストン１０の下方に配置されている）は、そのさらに別の長手方向端部でもって車両２００の軸受け、例えば車両ボディに連結している。
【００３２】
連結伝動装置４０の全てのレバーアームと回転軸は、ブレーキブースターピストン１０と設定調整手段５０のそれぞれの各側に配置され、それによって、ブレーキブースターピストン１０の各側に導入された応力が補償調整され、それに伴い不所望なトルクが当該ブレーキブースターピストン１０ないし設定調整手段５０に作用することはない。
【００３３】
制動力の増幅が何も必要ないときには、前記設定調整手段５０は、その初期位置Ａにある（この初期位置はスレッドロッド３０の長手軸上で電気モーター２０の一番近くにある）。電気機械式制動力倍力装置の作動中に支援補助力が必要になった場合には、電気モーター２０は活動化し、これによって設定調整手段５０は、その初期位置Ａから電気モーター２０から離れる方向でさらなる別の位置Ｂまで移動する。その際設定調整手段５０は、スレッドロッド３０の長手軸に沿って並進運動のみを行う。設定調整手段５０の移動中は、連結伝動装置４０との連結を介して応力が当該連結伝動装置４０に導入される。この応力は、当該連結伝動装置４０のレバーアーム４１，４２，４３の位置に応じて異なるレベルで増幅され、そこからブレーキブースターピストン１０に伝達される。
【００３４】
電気機械式制動力倍力装置の最大限可能な支援補助力は、設定調整手段５０が終端位置Ｃにある場合には（この位置は設定調整手段５０が電気モーター２０から最も離れたところにある）、連結伝動装置４０を介してブレーキブースターピストン１０に伝達される。前記設定調整手段５０は作動中は２つの可能な限界位置Ａ及びＣの間でスレッドロッド３０の長手軸に沿って軸方向の並進運動を実行する。その際の当該連結伝動装置４０の伝達比はそのつど可変である。
【００３５】
ブレーキペダル８０は、別の連結伝動装置７０を介してブレーキブースターピストン１０に連結され、この場合別の連結伝動装置７０のレバーアームが当該ブレーキブースターピストン１０と堅固に連結される。このレバーアームはさらにブレーキブースターピストン１０の対称軸と同軸に配置されている。
【００３６】
図２にはブレーキブースターピストン１０と車両２００（図示せず）への連結伝動装置４０の連結が変更されている本発明によるさらに別の電気機械式制動力倍力装置が示されている。ここでの電気モーター２０、スレッドロッド３０、設定調整手段５０、ブレーキブースターピストン１０、及び別の連結伝動装置７０は、図１の電気機械式制動力倍力装置と同一なものであるので、以下の明細書では、連結伝動装置４０の構造に関する違いと連結伝動装置４０とそのブレーキブースターピストン１０への連結に関する違いのみを説明する。
【００３７】
連結伝動装置４０は、第１のレバーアーム４１と、第２のレバーアーム４２と、補償調整レバーアーム４４とを含んでいる。第１のレバーアーム４１は、設定調整手段５０とジョイント式に連結され、それに対して第１のレバーアーム４１の別の長手方向端部は、第２のレバーアーム４２にジョイント式に連結されている。第２のレバーアーム４２のさらに別の長手方向端部は、回転軸４７を介して車両２００の軸受けにジョイント式に連結される。この場合前記軸受けはブレーキブースターピストン１０の下方にある。
【００３８】
補償調整レバーアーム４４は、回転軸４５を介してブレーキブースターピストン１０の外周面とジョイント式に連結されている。この場合前記回転軸４５は、ブレーキブースターピストン１０の端部区分領域における当該ブレーキブースターピストン１０の対称軸を通る水平平面内に配置される。補償調整レバーアーム４４の別の長手方向端部は、別の回転軸４６を介して第２のレバーアーム４２とジョイント式に連結されている。その際にさらなる回転軸４６は第２のレバーアーム４２の全長を非対称に分割し、さらに回転軸４５のように実質的に垂直位置に存在する。補償調整レバーアーム４４の長さは、ほぼ第１のレバーアーム４１の長さに相当している。作動中に前記設定調整手段５０が初期位置Ａから後続の位置ＢないしＣの方向に移動すると、当該補償調整レバーアーム４４は、前記連結伝動装置４０が支援補助力を緊張なしでブレーキブースターピストン１０に導入することを引き起こし、前記補償調整レバーアーム４４は作動中は垂直方向で僅かな移動しか実施しない。
【００３９】
前記連結伝動装置４０はブレーキブースターピストン１０と設定調整手段５０の両側において対称的に配置され、それによって、レバーアーム４１、４２、４４がそれぞれ当該ブレーキブースターピストン１０の両側に配置されている。
【００４０】
図３には、ブレーキペダルの距離ｓと制動力倍力装置の支援補助力Ｆとの間の望ましい非線形の関係が示されている。
【００４１】
レバーアーム作用に基づいて、制動力倍力装置の支援補助力Ｆとブレーキペダルの距離ｓとが相互に非線形の関係にあり、このことは当該制動力倍力装置の機能性にとって利点となる。そのためブレーキペダルの弱い操作しかなかった場合には、制動力倍力装置の支援補助力は何も形成されない。それに対してブレーキペダルの強い操作があった場合には、可及的に迅速な車両の制動のために当該制動力倍力装置の非常に大きな支援補助力が必要である。図３による支援補助力Ｆの特性を備えた電気機械式制動力倍力装置のできるだけ簡素な構造に対しては、本発明による電気機械式制動力倍力装置の連結伝動装置の回転軸とレバーアームの前述してきたような配置構成によって本発明による電気機械式制動力倍力装置を類似の形態で実現することができる。
【００４２】
図３の非線形の関係は質的に、ブレーキペダル踏力と制動力倍力装置の支援補助力とからなるマスターシリンダーに作用する応力全体に対しても当て嵌まる。
【図１】
2013544709.tif 000003
【図２】
2013544709.tif 000004
【図３】
2013544709.tif 000005
【国際調査報告】
2013544709.tif 000006
2013544709.tif 000007
2013544709.tif 000008
2013544709.tif 000009